(57)【要約】【課題】  遠隔場所（３０）からタービン監視システム（１２）のデータを見る方法（５０）が提供する。【解決手段】  タービン監視システムは、インタフェースラック（１６）を有するプログラム可能論理制御装置（１４）を含む。一実施例では、方法は、オンサイト監視コンピュータ（１８）を供給すること（５２）と、インタフェースラックに少なくとも１つの通信ゲートウェイカード（２０、２２）をインストールすること（５４）と、ローカルエリアネットワーク（２４）によりオンサイト監視コンピュータを少なくとも１つのゲートウェイカードに接続すること（５６）と、オンサイト監視コンピュータをワイドエリアネットワーク（３２）にも接続すること（５８）とを含む。【選択図】  図１
2004232629.tif 000002
【特許請求の範囲】
【請求項１】
インタフェースラック（１６）を有するプログラム可能論理制御装置（１４）を具備するタービン監視システム（１２）のデータを遠隔場所（３０）から見る方法（５０）において、
オンサイト監視コンピュータ（１８）を供給すること（５２）と、
前記インタフェースラックに少なくとも１つの通信ゲートウェイカード（２０、２２）をインストールすること（５４）と、
ローカルエリアネットワーク（２４）により前記オンサイト監視コンピュータを前記少なくとも１つのゲートウェイカードに接続すること（５６）と、
前記オンサイト監視コンピュータをワイドエリアネットワーク（３２）にも接続すること（５６）とから成る方法。
【請求項２】
前記タービン監視システム（１２）から離れた場所（３０）で前記ワイドエリアネットワーク（３２）にユーザコンピュータ（２８）を接続すること（６０）と、
前記タービン監視システムラック（１６）で前記タービン監視システムにより捕捉されたタービン動作データをリアルタイムで前記ユーザコンピュータに表示すること（６２）とを更に含む請求項１記載の方法（５０）。
【請求項３】
前記オンサイト監視コンピュータ（１８）を前記少なくとも１つのゲートウェイカード（２０、２２）に接続すること（５６）は、
前記オンサイト監視コンピュータをハブ（２６）に接続することと、
前記ハブを前記少なくとも１つのゲートウェイカードに接続することとを含む請求項１記載の方法（５０）。
【請求項４】
前記オンサイト監視コンピュータ（１８）をワイドエリアネットワーク（３２）にも接続すること（５６）は、前記ハブ（２６）を前記ワイドエリアネットワークに接続することを含む請求項３記載の方法（５０）。
【請求項５】
前記インタフェースラック（１６）に少なくとも１つの通信ゲートウェイカード（２０、２２）をインストールすること（５４）は、前記インタフェースラックに第１及び第２の通信ゲートウェイカードをインストールすることを含み、前記第１のゲートウェイカードはＴ１回線と通信するように構成され、前記第２のゲートウェイカードはＴ２回線と通信するように構成されている請求項１記載の方法（５０）。
【請求項６】
インタフェースラック（１６）を有するプログラム可能論理制御装置（１４）を具備するタービン監視装置（１２）のデータを遠隔場所（３０）から見ることを容易にするシステム（１０）において、
オンサイト監視コンピュータ（１８）と、
遠隔コンピュータ（２８）と、
前記タービン監視装置と通信するように構成された少なくとも１つの通信ゲートウェイカード（２０、２２）と、
前記オンサイト監視コンピュータを前記少なくとも１つのゲートウェイカードに接続するローカルエリアネットワーク（２４）と、
前記オンサイト監視コンピュータを前記遠隔コンピュータに接続するワイドエリアネットワーク（３２）とを具備するシステム（１０）。
【請求項７】
前記オンサイト監視コンピュータ（１８）を前記ローカルエリアネットワーク（２４）及び前記ワイドエリアネットワーク（３２）に接続するハブ（２６）を更に具備する請求項６記載のシステム（１０）。
【請求項８】
前記少なくとも１つの通信ゲートウェイカード（２０、２２）は第１及び第２の通信ゲートウェイカードを具備し、前記第１のゲートウェイカードはＴ１回線と通信するように構成され、前記第２のゲートウェイカードはＴ２回線と通信するように構成されている請求項６記載のシステム（１０）。
【発明の詳細な説明】
【技術分野】
【０００１】
本発明は一般に蒸気タービン及びガスタービンなどの回転機械を監視するシステムに関し、特に、監視システムデータをリアルタイムで表示するシステム及び方法に関する。
【背景技術】
【０００２】
発電の需要が高まるにつれて、発電タービンプラントの動作状態を評価する必要も増してきた。動作状態を正確に評価することで、起こりうる問題の正確な予測、既存の問題の解決及び将来の発電量不足の予測が容易になる。
【０００３】
発電に使用されるガスタービン及び蒸気タービンは、重要なタービンパラメータ及び関連する構成要素、例えば、振動データ、動作温度、動作速度、動作圧力、弁及びアクチュエータの設定、燃料需要、発電量、動作設定百分率、警報、並びに動作状態及び動作条件を監視する複数のセンサを含む。センサにより発生される信号は、通常、予め設定された時間間隔でプラント内部の監視システムへ送信される。少なくともいくつかの周知の監視システムはローカルイントラネットに結合されており、プラント内にいるユーザは収集されたデータを見ることができる。
【発明の開示】
【発明が解決しようとする課題】
【０００４】
しかし、遠隔コンピュータのユーザは収集されたデータをリアルタイムで見ることができない。
【課題を解決するための手段】
【０００５】
１つの面においては、遠隔場所からタービン監視システムのデータを見る方法が提供される。タービン監視システムは、インタフェースラックを有するプログラム可能論理制御装置を含む。方法は、オンサイト監視コンピュータを供給することと、インタフェースラックに少なくとも１つの通信ゲートウェイカードをインストールすることと、ローカルエリアネットワークによりオンサイト監視コンピュータを少なくとも１つのゲートウェイカードに接続することと、オンサイト監視コンピュータをワイドエリアネットワークにも接続することとを含む。
【０００６】
別の面においては、遠隔場所からタービン監視システムのデータを見る方法が提供される。タービン監視システムは、インタフェースラックを有するプログラム可能論理制御装置を含む。方法は、タービン監視システムによりタービン動作データを作成することと、オンサイト監視コンピュータをタービン監視システムのインタフェースラックに接続するローカルエリアネットワークを介して、動作データをオンサイト監視コンピュータへリアルタイムで送信することと、オンサイト監視コンピュータを遠隔コンピュータに接続するワイドエリアネットワークを介して、オンサイト監視システムにより動作データを遠隔コンピュータへリアルタイムで送信することと、送信されたデータを遠隔コンピュータで見ることとを含む。
【０００７】
別の面においては、遠隔場所からタービン監視装置のデータを見ることを容易にするシステムが提供される。タービン監視装置は、インタフェースラックを有するプログラム可能論理制御装置を含む。システムはオンサイト監視コンピュータと、遠隔コンピュータと、タービン監視装置と通信するように構成された少なくとも１つの通信ゲートウェイカードと、オンサイト監視コンピュータを少なくとも１つのゲートウェイカードに接続するローカルエリアネットワークと、オンサイト監視コンピュータを遠隔コンピュータに接続するワイドエリアネットワークとを含む。
【発明を実施するための最良の形態】
【０００８】
以下に、遠隔場所からタービン監視システムのデータを見ることを容易にする方法及びシステムの実施例を詳細に説明する。この方法及びシステムにより、例えば、タービンから離れた場所にいるユーザがタービン監視システムにより生成されたリアルタイムデータを見ることが容易となる。また、遠隔場所にいるユーザは遠隔場所から監視システムの構成及び設定を見ることもできる。更に、タービン又は監視システムに問題がある場合、遠隔場所にいるユーザは現場担当者の介入を必要とせずに遠隔場所から診断評価を実行することができ、それにより、保守の費用の低減及び保守時間の短縮をはかることが可能である。
【０００９】
図面を参照すると、図１は、本発明の一実施例に従った監視システム１０の概略図である。システム１０により、例えば、発電所に配置されているタービン（図示せず）を監視することが容易となる。システム１０は、インタフェースラック１６を含むプログラム可能論理制御装置１４により制御されるタービン監視装置１２を含む。タービン制御装置１２は、振動データ、動作温度、動作速度、動作圧力、弁及びアクチュエータの設定値、燃料需要、発電量、動作設定百分率、警報、並びに動作状態及び動作条件を含む（ただし、これらには限定されない）機器からの複数のタービンパラメータを監視するように構成されたどのような種類のタービン監視装置であっても良い。
【００１０】
オンサイト監視コンピュータ１８は、ハブ２６を有するローカルエリアネットワーク２４により通信ゲートウェイカード２０及び／又は２２を介してインタフェースラック１６に動作接続されている。オンサイト監視コンピュータ１８は監視されるべきタービンと物理的に同じ場所に配置されており、タービン監視装置１２により生成されるデータの検査及び解析を容易にするのに有用である。通信ゲートウェイカード２０及び２２は、例えば、Ethernet（登録商標）/485通信ゲートウェイカードなどの適切などのような通信カードであっても良い。また、通信ゲートウェイカード２０及び２２はＴ１回線及び/又はＴ２回線とインタフェースするように構成されることができる。
【００１１】
タービンの設置場所から離れた場所３０にいる作業員／ユーザ２８が監視装置１２により生成されるデータを見ることを可能にするために、オンサイト監視コンピュータ１８は、ハブ２６を介してワイドエリアネットワーク３２に動作接続されている。遠隔ユーザコンピュータ２８は、ルータ３６によりワイドエリアネットワーク３２に動作接続されたローカルエリアネットワーク３４により互いにネットワーク接続されている。また、ローカルエリアネットワーク３４から離れた場所にあるユーザコンピュータ３８は、ルータ３６に動作接続された仮想専用ネットワーク４０によりローカルエリアネットワーク３４をアクセスすることができる。
【００１２】
以上説明した通信トポロジーにより、遠隔ユーザ２８及び３８はインタフェースラック１６のタービンデータをリアルタイムで見ることができる。この通信トポロジーによれば、適切な権限を認められたユーザ２８及び３８はオフサイト場所からインタフェースラック１６に対して構成変更を実行することも可能である。
【００１３】
図２は、遠隔場所３０からタービン監視装置１２のデータをリアルタイムで見る方法５０のフローチャートである。方法５０は、オンサイト監視コンピュータ１８を供給すること５２と、タービン監視装置１２のインタフェースラック１６に少なくとも１つの通信ゲートウェイカード２０をインストールすること５４と、ローカルエリアネットワーク２４によりオンサイト監視コンピュータ１８をゲートウェイカード２０に接続すること５６と、オンサイト監視コンピュータ１８をワイドエリアネットワーク３２にも接続すること５８とを含む。
【００１４】
方法５０は、タービン監視装置１２から離れた場所３０でユーザコンピュータ２８をワイドエリアネットワーク３２に接続すること６０と、タービン監視装置１２のインタフェースラック１６でタービン監視装置によりにより捕捉されたタービン動作データをリアルタイムでユーザコンピュータ２８において表示すること６２とを更に含む。
【００１５】
特許請求の範囲に示される図中符号は本発明の範囲を狭めるのではなく、本発明の理解を容易にすることを意図されている。
【図面の簡単な説明】
【００１６】
【図１】本発明の一実施例に従った監視システムの概略図。
【図２】遠隔場所からリアルタイムでタービン監視システムのデータを見る方法のフローチャート。
【符号の説明】
【００１７】
１０…監視システム、１２…タービン監視装置、１４…プログラム可能論理制御装置、１６…インタフェースラック、１８…オンサイト監視コンピュータ、２０、２２…通信ゲートウェイカード、２４…ローカルエリアネットワーク、２６…ハブ、２８…遠隔ユーザコンピュータ、３０…遠隔場所、３２…ワイドエリアネットワーク、３４…ローカルエリアネットワーク、３６…ルータ、３８…ユーザコンピュータ、４０…仮想専用ネットワーク
【図１】
2004232629.tif 000003
【図２】
2004232629.tif 000004
【外国語明細書】
2004232629000001.pdf